(57)【要約】【課題】ひもを軽く叩く、触る、または接近するだけで、照明器具を制御することができ、その操作方式は時間や、力を節約でき、かつ簡単であり、これにより操作において極めて便利であって、しかも使用寿命を大幅に延長することができるソケットを提供する。【解決手段】電気スタンド内にセンサー式コントローラ７を設置するよう特に指定したソケットで、元来のひっぱりひも３１をセンサーコントローラ７に繋ぎ、ひも３１にタッチセンサーの作用をもたせることによって、操作者が手でひも３１に軽く叩く、触れる、または接近すると、センサーコントローラ７から照明器具を入れたり切ったりする制御ができ、同時にセンサーコントローラ７は照明器具に対し多段式の点滅制御をすることもでき、有線または無線の方式で近くまたは遠くから制御できるため、ソケットの操作方式を機械式から電子式の制御方式に改良し、従来の照明器具に先進的な操作機能及び効果をもたせ、使用者に更に多くの操作上の便利さをもたらした。【選択図】図３
2004006350.tif 000002
【特許請求の範囲】
【請求項１】
スタンド本体と電球を取りつけた電球受けの間に、ネジ固定体によって両者を一つにし、スタンド本体に１本のひもを設けスタンド本体から外に出し、そのうちスタンド本体内部に電子式センサーコントローラを取りつけ、該ひもをセンサーコントローラに繋ぎ、該ひもにタッチコントロールの効果をもたせ、よって使用者が手でひもを軽く叩く、触る、または接近すると、照明器具または電器の点滅制御を達成できるソケット。
【請求項２】
請求項第１項記載のソケットにおいて、そのうちひもが導電ひもに置き換えて同じようにセンサーの作用をもたせることができるソケット。
【請求項３】
請求項第１項記載のソケットにおいて、そのうちひもに対して異なる接触または接近の回数によって、照明器具に多段の異なる明るさの制御または点滅の効果を生み出すことができるソケット。
【請求項４】
請求項第１項記載のソケットにおいて、そのうちひっぱりひもが接触または接近を受けて生み出した信号が、有線または無線の方式によって、信号を近くまたは遠くの制御したい照明器具または電器に伝送できるソケット。
【発明の詳細な説明】
【０００１】
【発明の属する技術分野】
電気スタンド内に電子センサーが設置されており、ひっぱり式のひもを該センサーに繋ぎ、ひもにセンサー式制御機能をもたせる電気スタンドに関する。
【０００２】
【従来の技術】
一般的に我々が熟知している従来のひっぱり式スイッチの電気スタンド構造は図１、図２に示した通りで、基座１の中央に支持棒１１を立て、支持棒１１の上端をスタンド本体２１の下方に繋ぎ、スタンド本体２１の内部に機械式のひっぱり式スイッチ３を設置し、ひっぱり式スイッチ３の上にはひも３１があり、スタンド本体２１の脇に設置した穴のリードキャップ２４から貫通させる。さらにスタンド本体２１の上端外縁にはネジ紋部２１１があり、そして電球受け２２の下端にはスタンド本体２１内に插入（挿入）できる插入部（挿入部）２２１があり、かつ電球受け２２のやや中間の出っ張りには出っ張り部２２２を設けてある。その次に、ネジ固定体２３の上方には比較的小さな内径をもつ段状部２３１を設け、ネジ固定体２３内にネジ紋部２３２を設けてある。よってネジ固定体２３を電球受け２２に被せ、かつ同時に電球受け２２の插入部（挿入部）２２１を、スタンド本体２１の上端内に插入（挿入）して、その後ネジ固定体２３をスタンド本体２１の上端にネジ込み、電球受け２２とスタンド本体２１を連結して一つに固定して、最後に電球４を電球受け２２に取りつける。
【０００３】
よって、電源コード５は基座１の底部から支持棒１１内を貫通し、さらにスタンド本体２１に入り、電源コード５における一つの極の導線５１を内部に嵌めこんだひっぱり式スイッチ３の接点に繋ぎ、電源コード５のもう一つの極の導線５２は電球受け２２の接点に繋ぎ、さらに導線６を設けてひっぱり式スイッチ３と電球受け２２のその他の接点の間に繋ぐ。よって連続してひも３１を引っぱると、ひっぱり式スイッチ３に連続循環する多段式の切換動作を生みだし、電球受け２２の電球４に多段の異なる照明の明るさの制御が生み出される。
【０００４】
したがって、上述の電気スタンドひっぱり式制御照明器具をつけたり消したりする従来の構造方式は、ここ数十年来、その操作方式は人々の熟知した習慣となっている。
【０００５】
【発明が解決しようとする課題】
ところで、上述の電気スタンドひっぱり式制御照明器具をつけたり消したりする従来の構造方式は、ここ数十年来、その操作方式は人々の熟知した習慣となっているが、従来のひも機械式ひっぱり制御電気スタンドには、多くの改善を要する部分がある。例えば、以下の２点が挙げられる。
【０００６】
１．ひっぱる操作方式は簡単であるが、その操作には時間や、力を費やし、かつ使用頻度が高い、または操作する力が強すぎる場合、ひっぱり式スイッチ３の破損を及ぼし、ひっぱり式スイッチ３の使用寿命を短縮させてしまいがちである。
【０００７】
２．ひっぱり式スイッチが一旦破損すると、照明器具は完全にその効果を失い、使用できなくなり、かつ機械式のひっぱり式スイッチを長時間使用していると、その接点も錆が非常に発生しやすくなり、更にその使用寿命を短縮させる。
【０００８】
そこで、本願発明は、従来のひっぱり式操作電気スタンドの上記欠点を改善するソケット、具体的には、ひもを軽く叩く、触る、または接近するだけで、照明器具を制御することができ、その操作方式は時間や、力を節約でき、かつ簡単であり、これにより操作において極めて便利であって、しかも使用寿命を大幅に延長することができるソケットを提供することを目的とする。
【０００９】
【課題を解決するための手段】
上述した課題を解決するため、本願発明は、スタンド本体と電球を取りつけた電球受けの間に、ネジ固定体によって両者を一つにし、スタンド本体に１本のひもを設けスタンド本体から外に出し、そのうちスタンド本体内部に電子式センサーコントローラを取りつけ、該ひもをセンサーコントローラに繋ぎ、該ひもにタッチコントロールの効果をもたせ、よって使用者が手でひもを軽く叩く、触る、または接近すると、照明器具または電器の点滅制御を達成できるソケットであることを特徴としている。
【００１０】
【発明の実施の形態】
本願発明は、上述の従来のひっぱり式操作電気スタンドの欠点を改善するため、電気スタンド内にセンサー式コントローラを設け、ひっぱりひもをセンサーコントローラに繋ぎ、ひも全体にタッチセンサーの効果をもたせるようにして、操作者がひもを軽く叩く、触る、または接近すれば、照明器具をつけたり消したりする制御ができるようにし、更に簡単な制御の効果を達成した。
【００１１】
また、上述のひもは導電ひもによって置きかえることもでき、同じようなセンサー作用をもたせることができる。
【００１２】
その次に、センサー式コントローラは多段式の制御方式とすることができ、照明器具に多段の異なる明るさの点灯効果をもたせることができる。
また、上述のひっぱりひもが物体の接触または接近を受けた時に生み出す信号は、有線または無線の方式で、該信号を近くまたは遠くの制御したい照明器具またはその他の電器まで伝送することができる。
【００１３】
本願発明のその他の目的と更に進んだ適用の範疇は、下記の詳細な説明においてはっきりと知ることができる。但しこれらの詳細な説明と挙げられた実施例は説明用として供するのみであり、本発明の精神と範疇において行った各種の変更と修正がこの業界の専門家にとって、これらの詳細な説明及び図式からはっきりと知ることができるため、これらの詳細な説明と添付図は説明に用いるのみであり、本願発明に限られるものではなく、その説明は下記の通りである。
【００１４】
図３で示すように、本願発明の電気スタンドの構造は、基座１の中央に上端にスタンド本体２１を設けた支持棒１１を立て、ネジ固定体２３で電球受け２２をスタンド本体２１に固定し、スタンド本体２１内部に電子式のセンサーコントローラ７を取りつけ、ひっぱりひも３１をセンサーコントローラ７に繋ぎ、ひも３１をスタンド本体２１の脇に設けた穴のリードキャップ２４から貫通させる。
【００１５】
よって、電源コード５をセンサーコントローラ７に直接繋ぎ、制御したい電球４の制御線８を電球受け２２に繋ぎ、同時にひも３１にも接点をもたせてセンサーコントローラ７に繋ぎ、よって使用者が手でひも３１を軽く叩く、触る、または接近する時、センサーコントローラ７で照明器具をつけたり消したりすることを制御することができる。よって本願発明は下記の優位点をもつ。
【００１６】
１．ひも３１を軽く叩く、触る、または接近するだけで、照明器具を制御することができ、その操作方式は時間や、力を節約でき、かつ簡単なため、操作において極めて便利である。
【００１７】
２．機械式スイッチの制御構造でないため、その使用寿命を大幅に延長することができる。
【００１８】
また図４で示すように、ひっぱり式ひも３１は、導電ひも３２に置きかえることもでき、該導電ひも３２自身に導電の性質があるため、同じようにセンサーの作用をもたせることができる。
【００１９】
その次に、ひも３１または導電ひも３２のセンサー制御の効果についても、ひも３１または導電ひも３２に対して接触または接近する回数で、異なる制御効果に変更することができ、例えば照明器具の制御ひも３１または導電ひも３２が１回目の接触または接近を受けた時は、１段目の照明の明るさに制御し、さらにひも３１または導電ひも３２に対し２回目の接触または接近を行った時には、照明器具に対し２段目の異なる照明度の明るさに制御することができ、ひも３１または導電ひも３２に対し最後の１回の接触または接近をした時は、照明器具を消すことができる。よって本発明も従来のひっぱり式スイッチのような多段式制御と同じ効果を達成することができる。同時に本願発明が応用する範囲はソケットに限られたものではなく、その他の同じようにひっぱりひも３１で制御する電器に拡張することができる。例えば、本願発明は、天井の蛍光灯、インテリアランプ、テーブルスタンド、扇風機、ファンランプ、ペンダント、フロアスタンド等に適用可能である。
【００２０】
この他、上述のひっぱりひも３１または導電ひも３２が接触または接近を受けた時に生み出される信号も、無線の方式で該信号を近くまたは遠くの制御したい照明器具またはその他の電器に伝達することができる。
【００２１】
【発明の効果】
以上に述べたことをまとめると、本願発明は、ひっぱり式スイッチのひもをセンサーのタッチ側とし、従来のひっぱり式機械スイッチの操作上の様々な面倒、不便さ、制限を改善し、操作を単一の接触または接近の動作で制御の目的を完了できるようにし、そのため実に従来のひっぱり式スイッチとは比べものにならない。よって本願発明は特許の要件に合致しており、早急に特許が与えられることを希望する。
【図面の簡単な説明】
【図１】周知（従来）の電気スタンドの構造立体見取り図。
【図２】周知（従来）の電気スタンドの断面図。
【図３】本願発明の第一の実施例の断面図。
【図４】本願発明の第二の実施例の断面図。
【符号の説明】
１…基座
１１…支持棒
２１…スタンド本体
２２…電球受け
２３…ネジ固定体
２４…リードキャップ
３１…ひも
３２…導電ひも
４…電球
５…電源コード
７…センサーコントローラ
８…制御線
【図１】
2004006350.tif 000003
【図２】
2004006350.tif 000004
【図３】
2004006350.tif 000005
【図４】
2004006350.tif 000006